(57)【要約】【課題】太陽光パネルユニットを簡単に設置できるようにすることである。【解決手段】太陽光発電パネル（11）、支持部材（14）及び杭（19）を有する太陽光パネルユニット（10）の設置の際に用いられる設置装置（70）は、シート（71）を備える。シート（71）は、太陽光パネルユニット（10）の設置の際に地表に敷設され、地表における植物の生長を抑制する。このシート（71）には、杭（19）の設置位置を定めるための孔（72）が、表面側から裏面側に貫通して複数形成されている。【選択図】図３
2016127687.tif 000002
【特許請求の範囲】
【請求項１】
太陽光発電パネル（11）と、上記太陽光発電パネル（11）を支持する支持部材（14）と、上記支持部材（14）の下方に延びており下端（19b）が地中に埋設される複数の杭（19）とを有する太陽光パネルユニット（10）において、該太陽光パネルユニット（10）の設置の際に用いられる太陽光パネルユニットの設置装置（70）であって、
上記太陽光パネルユニット（10）の設置の際に地表に敷設されて地表における植物の生長を抑制するシート（71）、を備え、
上記シート（71）には、上記杭（19）の設置位置を定めるための孔（72）が、表面側から裏面側に貫通して複数形成されている
ことを特徴とする太陽光パネルユニットの設置装置。
【請求項２】
請求項１において、
複数の上記孔（72）は、任意の直線上において等間隔に、上記シート（71）に形成されている
ことを特徴とする太陽光パネルユニットの設置装置。
【請求項３】
請求項１または請求項２において、
上記孔（72）に対応する位置に設けられて上記シート（71）を地表に固定する複数の固定部材（75）、
を更に備え、
各上記固定部材（75）は、該固定部材（75）が上記シート（71）を固定した際に、
上記シート（71）の表面側から上記孔（72）に挿通されて少なくとも一部が地中に埋設される埋設部（76）と、
上記埋設部（76）よりも上記シート（71）の表面側に位置し上記シート（71）を固定する非埋設部（77）と
を有する
ことを特徴とする太陽光パネルユニットの設置装置。
【請求項４】
請求項３において、
上記固定部材（75）は、上記非埋設部（77）から上記杭（19）の上方に向けて該杭（19）に沿って延びるボス部（79）、を更に有する
ことを特徴とする太陽光パネルユニットの設置装置。
【発明の詳細な説明】
【技術分野】
【０００１】
本発明は、太陽光パネルユニットの設置の際に用いられる装置に関する。
【背景技術】
【０００２】
発電手段には、水力発電等の様々なものがある。その中でも、近年では、環境にやさしいという観点から、太陽光発電が注目されている。
【０００３】
太陽光発電に係る技術としては、例えば特許文献１に示すような太陽光パネルユニットが知られている。特許文献１では、太陽光発電パネルが支持架台に取り付けられており、支持架台から下方に延びる杭の下端は、地中に埋設される。
【先行技術文献】
【特許文献】
【０００４】
【特許文献１】特開２０１３−２４９６１６号公報
【発明の概要】
【発明が解決しようとする課題】
【０００５】
特許文献１に示すように、複数の太陽光パネルユニットは、一直線上に等間隔ずつ並んで設置される。このような設置にあたり、施工者は、水糸やレーザ測定器等を用いて、打設する杭の間隔を測定しながら杭の打設位置を決定する作業を行う。特に、この作業では、施工者は、一本一本の杭の打設位置を計測及び決定しては地表に印をつけていく。そのため、設置するべき太陽光パネルユニットの数が多い程、太陽光パネルユニットの設置作業には手間と時間がかかる。
【０００６】
本発明は、かかる点に鑑みてなされたものであり、その目的は、太陽光パネルユニットを簡単に設置できるようにするための設置装置を提供することである。
【課題を解決するための手段】
【０００７】
第１の発明は、太陽光発電パネル（11）と、上記太陽光発電パネル（11）を支持する支持部材（14）と、上記支持部材（14）の下方に延びており下端（19b）が地中に埋設される複数の杭（19）とを有する太陽光パネルユニット（10）において、該太陽光パネルユニット（10）の設置の際に用いられる太陽光パネルユニットの設置装置（70）であって、上記太陽光パネルユニット（10）の設置の際に地表に敷設されて地表における植物の生長を抑制するシート（71）、を備え、上記シート（71）には、上記杭（19）の設置位置を定めるための孔（72）が、表面側から裏面側に貫通して複数形成されていることを特徴とする太陽光パネルユニットの設置装置である。
【０００８】
この設置装置（70）によると、太陽光パネルユニット（10）の杭（19）を打設する前に、孔（72）が形成されたシート（71）が地表に敷設されることで、自動的かつ比較的精度良く孔（72）の位置が杭（19）の打設位置に決定される。これにより、太陽光パネルユニット（10）の設置作業を行う施工者は、一本一本の杭（19）の打設位置を計測及び決定しては地表に印をつける作業を行う必要がなく、従って太陽光パネルユニット（10）を簡単に設置することができる。
【０００９】
しかも、シート（71）には、植物の成長を抑制する作用があり、このシート（71）は、太陽光パネルユニット（10）の設置後も地表に敷設された状態となる。そのため、太陽光発電パネル（11）付近にまで植物が成長して到達し、太陽光発電パネル（11）の発電が植物によって妨げられることを防ぐこともできる。
【００１０】
第２の発明は、第１の発明において、複数の上記孔（72）は、任意の直線上において等間隔に、上記シート（71）に形成されていることを特徴とする太陽光パネルユニットの設置装置である。
【００１１】
これにより、複数の杭（19）を任意の直線上に等間隔で打設するための測量作業が不要となる。従って、太陽光パネルユニット（10）の設置作業がより簡単となり、太陽光パネルユニット（10）の設置時間がより短縮される。
【００１２】
第３の発明は、第１の発明または第２の発明において、上記孔（72）に対応する位置に設けられて上記シート（71）を地表に固定する複数の固定部材（75）、を更に備え、各上記固定部材（75）は、該固定部材（75）が上記シート（71）を固定した際に、上記シート（71）の表面側から上記孔（72）に挿通されて少なくとも一部が地中に埋設される埋設部（76）と、上記埋設部（76）よりも上記シート（71）の表面側に位置し上記シート（71）を固定する非埋設部（77）とを有することを特徴とする太陽光パネルユニットの設置装置である。
【００１３】
これにより、シート（71）は、固定部材（75）によって容易に且つ確実に地表に固定される。
【００１４】
第４の発明は、第３の発明において、上記固定部材（75）は、上記非埋設部（77）から上記杭（19）の上方に向けて該杭（19）に沿って延びるボス部（79）、を更に有することを特徴とする太陽光パネルユニットの設置装置である。
【００１５】
ボス部（79）により、杭（19）は地表面近くで補強される。
【発明の効果】
【００１６】
本発明によれば、太陽光パネルユニット（10）を簡単に設置することができると共に、成長した植物によって太陽光発電パネル（11）の発電が妨げられることを防ぐこともできる。
【００１７】
上記第２の発明によれば、太陽光パネルユニット（10）の設置作業がより簡単となり、太陽光パネルユニット（10）の設置時間がより短縮される。
【００１８】
上記第３の発明によれば、シート（71）は、固定部材（75）によって容易に且つ確実に地表に固定される。
【００１９】
上記第４の発明によれば、ボス部（79）により、杭（19）は地表面近くで補強される。
【図面の簡単な説明】
【００２０】
【図１】図１は、複数の太陽光パネルユニットが等間隔に並んで設置された状態の太陽光パネルシステムの外観図である。
【図２】図２は、第１太陽光パネルユニットの側面図である。
【図３】図３は、本実施形態に係る太陽光パネルユニットの設置装置の構成図である。
【図４】図４は、太陽光パネルユニット設置完了後の杭及び設置装置の状態を表す図である。
【図５】図５は、その他の実施形態に係る設置装置の構成と、太陽光パネルユニットの設置完了後の杭の一部分及び設置装置の状態とを表す図である。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
≪実施形態≫
＜概要＞
図１は、太陽光発電システム（1）の外観を示す。図１に示すように、太陽光発電システム（1）は、複数の太陽光パネルユニット（10）を備えている。複数の太陽光パネルユニット（10）は、例えば田畑等の農地において、東西方向に延びる一直線上において概ね等間隔、且つ、各太陽光発電パネル（11）の回転軸（S）が互いに平行となるように配置されている。即ち、回転軸（S）は、南北方向を向く。各太陽光パネルユニット（10）の太陽光発電パネル（11）は、東西方向に揺動する。
【００２３】
このような太陽光パネルユニット（10）では、太陽光を利用して発電が行われ、発電された電力（直流電力）は、図示してはいないが、パワーコンディショナにて交流電力に変換され、その後電力負荷に供給される。
【００２４】
そして、このような太陽光パネルユニット（10）は、略鉛直方向に延びる杭（19）の下端（19b）が農地の地中に埋設されることで設置される。太陽光パネルユニット（10）の設置の際、複数の杭（19）が等間隔に打設されるが、本実施形態では、杭（19）同士の間隔を計測して杭（19）の打設位置を決定するための測量等の作業を行うことなく、簡単に杭（19）を等間隔に打設することができる設置装置（70）が用いられる（図３参照）。
【００２５】
＜太陽光パネルユニットの構成＞
先ずは、太陽光パネルユニット（10）の構成について説明する。
【００２６】
各太陽光パネルユニット（10）は、主として、太陽光発電パネル（11）と、支持架台（12）とを有する。なお、各太陽光パネルユニット（10）は、同じ構成を有する。
【００２７】
太陽光発電パネル（11）は、板状に形成され、一方の面（上面）が太陽光の受光面（11a）である。各太陽光発電パネル（11）は、受光面（11a）にて受けた太陽光を直流電力に変換することで発電を行う。また、図２に示すように、各太陽光発電パネル（11）は、北側ほど高くなるように、傾斜して支持架台（12）に支持されている。
【００２８】
図１及び図２に示すように、太陽光発電パネル（11）の裏面（下面）には、２本の桟部材（15a,15b）が固定されている。桟部材（15a,15b）は、回転軸（S）と直行する方向に、互いに離れて並行に配置されている。
【００２９】
図１に示すように、支持架台（12）は、個々の太陽光発電パネル（11）に対応して設けられ、各太陽光発電パネル（11）を回転軸（S）周りに回動自在に支持する。図２に示すように、支持架台（12）は、２つの接手部材（13）と、支持部材（14）と、杭（19）とを有する。支持部材（14）は、太陽光発電パネル（11）を支持する部材であり、所定長さを有したリップ溝型綱（Ｃ型綱）やチャンネル綱で形成されている。２つの接手部材（13）は、同一直線上に並ぶように、支持部材（14）の両端付近に回転自在に取り付けられると共に、桟部材（15a,15b）に固定される。これにより、太陽光発電パネル（11）は、回転軸（S）周りに回転することができる。
【００３０】
杭（19）は、固定金具（19a）によって支持部材（14）に固定されており、当該支持部材（14）から下方に延びている。杭（19）は、円筒形状の鋼材であり、その下端（19b）（固定金具（19a）とは反対側の杭（19）の端部）が地面に埋設される。
【００３１】
このような構成の太陽光パネルユニット（10）は、図１に示すように、後述するアクチュエータユニット（50）が設けられた１つの第１太陽光パネルユニット（10a）と、アクチュエータユニット（50）が設けられていない複数の第２太陽光パネルユニット（10b）とを有する。第１及び第２太陽光パネルユニット（10a,10b）には、後述するリンク機構（60）が接続されている。従って、第２太陽光パネルユニット（10b）の太陽光発電パネル（11）は、第１太陽光パネルユニット（10a）の太陽光発電パネル（11）の動作に同期して駆動する。
【００３２】
＜太陽光発電システムの他の構成＞
太陽光発電システム（1）には、太陽光パネルユニット（10）以外に、アクチュエータユニット（50）及びリンク機構（60）が備えられている。
【００３３】
図１及び図２に示すように、アクチュエータユニット（50）は、アクチュエータ（51）及び伝達機構（53）を有する。アクチュエータ（51）は、回転式の空気圧アクチュエータであり、図２の出力軸（51a）を、空気圧によって回転させる。伝達機構（53）は、クランク機構で構成されており、出力軸（51a）の回転に応じて太陽光発電パネル（11）を回転軸（S）周りに揺動させる。アクチュエータ（51）の出力軸（51a）の回転角は、図示しないコントローラにおいて調節される。
【００３４】
図１に示すように、リンク機構（60）は、リンク部材（17）と連結ロッド（61）とを有する。図２に示すように、リンク部材（17）は、板状の部材を三角形状に組み合わせて形成されたものであり、桟部材（15b）に固定されている。リンク部材（17）を構成する部材の一つである板状部材（17a）は、太陽光発電パネル（11）に対して垂直に下向きに延びている。連結ロッド（61）は、各リンク部材（17）同士を連結する円管状の部材である。図１に示すように、連結ロッド（61）は、リンク部材（17）の板状部材（17a）の下端付近に、回転自在にピン連結されている。第１太陽光パネルユニット（10a）の太陽光発電パネル（11）が揺動すると、当該パネル（11）とともに、板状部材（17a）が回転軸（S）周りに揺動し、連結ロッドが東西方向（図１参照）に変位する。その結果、各第２太陽光パネルユニット（10b）の太陽光発電パネル（11）も揺動する。即ち、各第２太陽光パネルユニット（10）の太陽光発電パネル（11）は、アクチュエータ（51）を共用して動作し、且つ第１太陽光パネルユニット（10a）の太陽光発電パネル（11）の動作に同期する。
【００３５】
＜太陽光パネルユニットの設置装置＞
次に、本実施形態に係る太陽光パネルユニット（10）の設置装置（70）について説明する。既に述べたように、設置装置（70）は、太陽光パネルユニット（10）の設置の際に用いられるものである。
【００３６】
＜構成＞
図３に示すように、設置装置（70）は、シート（71）と、複数の固定部材（75）とを備える。
【００３７】
−シート−
シート（71）は、長方形状のシート状部材であって、地表の形状に合わせるための柔軟性、及び、雨によりシートに水がしみ通るのを防ぐための防水性を有する。シート（71）は、太陽光パネルユニット（10）の設置の際に地表に敷設される。具体的に、シート（71）は、太陽光パネルユニット（10）における杭（19）の打設の前に、シート（71）の細長い方向が東西方向に沿うようにして地表に敷設され、太陽光パネルユニット（10）の設置作業が完了した後においても地表に敷かれた状態を採る。このようなシート（71）は、地表における植物の成長を抑制する効果、つまりは防草効果を有している。例えば、シート（71）は、地表への光を遮断する遮光性を有することで、植物の成長を抑制する。
【００３８】
特に、本実施形態に係るシート（71）には、杭（19）の設置位置を定めるための孔（72）が、表面側から裏面側に貫通して複数形成されている。即ち、地面に敷設後のシート（71）の孔（72）を介して、杭（19）の下端（19b）が地中に打設にされる。
【００３９】
複数の孔（72）は、任意の直線上において等間隔に、シート（71）に形成されている。図３では、孔（72）が、東西方向に延びる直線（L1）上に、間隔（D1）ずつ離れて位置していることを表している。直線（L1）は、シート（71）の短辺の中心を表す線であって、間隔（D1）は、太陽光パネルユニット（10）の設置間隔を示す。具体的に、間隔（D1）としては、例えば約３ｍが挙げられる。孔（72）の大きさは、杭（19）の太さ以上であり、後述する固定部材（75）の埋設部（76）の外周とほぼ等しい。
【００４０】
−固定部材−
固定部材（75）は、地面に敷設後のシート（71）の各孔（72）に対応するようにして複数設けられ、シート（71）を地表に固定する固定鋲で構成される。固定部材（75）は、図３に示すように、埋設部（76）と非埋設部（77）とを有し、これらは樹脂または金属で一体形成されている。図４に示すように、埋設部（76）は、固定部材（75）がシート（71）を固定した際に、シート（71）の表面側から孔（72）に挿通されて地中に埋設される部分である。非埋設部（77）は、固定部材（75）がシート（71）を固定した際、埋設部（76）よりもシート（71）の表面側に位置しシート（71）を固定する部分である。即ち、埋設部（76）は、非埋設部（77）に比して下方に位置し、非埋設部（77）の少なくとも上面は、固定部材（75）がシート（71）を固定したとしても、シート（71）の表面側に露出する。
【００４１】
具体的に、埋設部（76）及び非埋設部（77）は、共に平面視にて環状に形成されているが、埋設部（76）の高さは非埋設部（77）の高さよりも高い。そして、埋設部（76）の内径と非埋設部（77）の内径とは概ね等しく、その大きさは、杭（19）の太さよりも若干大きい。一方、非埋設部（77）の外径は、埋設部（76）の外径よりも大きい。これは、シート（71）の孔（72）の縁部と杭（19）の外周との隙間を非埋設部（77）によって確実に塞ぐことで、当該隙間から植物が成長するのを確実に防ぐためである。
【００４２】
また、固定部材（75）が図４に示すように孔（72）に対応して配置された際、非埋設部（77）の地面側を向く面は、シート（71）に接触する。これにより、非埋設部（77）は、シート（71）を地表側へと押さえている。更に、地中に埋設されている埋設部（76）は、図４に示すように地中において杭（19）に沿って延びており、杭（19）を補強する役割を担っている。従って、杭（19）の強度を維持したままで、杭（19）の下端（19b）付近の径を小さくすることも可能となる。
【００４３】
なお、図４では、地中に埋設されている埋設部（76）の下端よりも、杭（19）の下端（19b）が下方に位置する程度に、杭（19）が打設される場合を例示している。
【００４４】
＜太陽光パネルユニットの設置手順＞
上述した構成を有する設置装置（70）を用いての、太陽光パネルユニット（10）の設置手順を説明する。
【００４５】
先ず、施工者は、太陽光パネルユニット（10）を設置させる場所の地表に、予め等間隔に孔（72）が形成されているシート（71）を敷設する。この際、施工者は、図３に示すように、シート（71）の長手方向が東西方向に沿うようにしてシート（71）を敷設する。これにより、孔（72）の位置が杭（19）の打設位置として自動的に決定される。
【００４６】
次いで、施工者は、シート（71）上の孔（72）１つに対し１本の杭（19）を打設していく。そして、施工者は、打設された杭（19）それぞれに、固定部材（75）を、埋設部（76）が地中側となるように嵌めていく。この際、施工者は、非埋設部（77）がシート（71）に接触してシート（71）を地表に押すようになるまで、埋設部（76）を地中に埋設させる。
【００４７】
施工者は、打設され固定部材（75）が取り付けられた杭（19）に、支持部材（14）及び太陽光発電パネル（11）等を順に取り付けていき、太陽光パネルユニット（10）の設置を完了する。
【００４８】
太陽光パネルユニット（10）の設置完了後、シート（71）は地表に敷設され、且つ固定部材（75）はシート（71）を固定した状態のままとなる。
【００４９】
なお、固定部材（75）のみでのシート（71）の固定では、風等の影響によりシート（71）の端部がめくれてしまう場合には、施工者は、シート（71）の端部を、更に他の固定具を用いて固定することが好ましい。
【００５０】
＜効果＞
本実施形態に係る設置装置（70）は、太陽光パネルユニット（10）の設置の際に地表に敷設されて地表における植物の生長を抑制するシート（71）を備える。シート（71）には、杭（19）の設置位置を定めるための孔（72）が、表面側から裏面側に貫通して複数形成されている。このようなシート（71）が杭（19）の打設前に地表に敷設されることで、自動的かつ比較的精度良く孔（72）の位置が杭（19）の打設位置に決定される。これにより、施工者は、一本一本の杭（19）の打設位置を計測及び決定しては地表に印をつける作業を行う必要がなく、従って太陽光パネルユニット（10）を簡単に設置することができる。しかも、シート（71）には、植物の成長を抑制する作用があり、このシート（71）は、太陽光パネルユニット（10）の設置後も地表に敷設された状態となる。そのため、太陽光発電パネル（11）付近にまで植物が成長して到達し、太陽光発電パネル（11）の発電が植物によって妨げられることを防ぐこともできる。
【００５１】
また、複数の孔（72）は、任意の直線上において等間隔に、シート（71）に形成されている。これにより、複数の杭（19）を任意の直線上に等間隔で打設するための測量作業が不要となる。従って、太陽光パネルユニット（10）の設置作業がより簡単となり、太陽光パネルユニット（10）の設置時間がより短縮される。
【００５２】
また、各孔（72）に対応して、固定部材（75）が設けられる。固定部材（75）は、図３及び図４に示すように、埋設部（76）と非埋設部（77）とを有しており、シート（71）を地表に容易に且つ確実に固定する。
【００５３】
≪その他の実施形態≫
上記実施形態については、以下のような構成としてもよい。
【００５４】
固定部材（75）は、埋設部（76）及び非埋設部（77）に加えて、図５（ａ）に示すようにボス部（79）を有する構成であってもよい。この場合、埋設部（76）、非埋設部（77）及びボス部（79）は、金属または樹脂で一体形成されている。ボス部（79）は、非埋設部（77）から杭（19）の上方に向けて、該杭（19）に沿って延びている。即ち、図５（ｂ）に示すように、ボス部（79）は、非埋設部（77）と同様、地表面上に露出する。ボス部（79）の内径は、杭（19）の太さよりも若干大きいが、埋設部（76）及び非埋設部（77）の内径よりは小さい。ボス部（79）の外径は、非埋設部（77）の外径よりは小さく、また埋設部（76）の外径と同等ないしは若干小さい。ボス部（79）の高さは、非埋設部（77）よりも高く、また埋設部（76）と同様ないしは高いことが好ましい。このようなボス部（79）は、杭（19）を地表付近にて補強する役割を担っている。
【００５５】
また、固定部材（75）は、非埋設部（77）のみからなり、杭（19）と一体に形成されていてもよい。この場合、非埋設部（77）は、シート（71）を固定するのみならず、杭（19）の下端（19b）からの埋設部分を定義することとなる。
【００５６】
また、固定部材（75）のうち、埋設部（76）の全長が地中に埋設されるのではなく、埋設部（76）の少なくとも一部が埋没されてもよい。
【００５７】
また、固定部材（75）は、シート（71）を固定できるのであれば、図３及び図４に示す形状以外の形状であってもよい。
【００５８】
また、シート（71）は、上記固定部材（75）以外の部材によって固定されても良い。
【００５９】
また、シート（71）に形成された孔（72）の位置は、必ずしも任意の直線上に等間隔でなくてもよい。孔（72）は、シート（71）の任意の位置に形成されていてもよい。
【００６０】
また、太陽光パネルユニット（10）の数は１つであっても良い。
【００６１】
また、太陽光発電パネル（11）の支持架台（12）は、杭（19）及び支持部材（14）を有していればよく、詳細な構成は、図１及び図２に限定されない。
【産業上の利用可能性】
【００６２】
以上説明したように、本発明は、太陽光パネルユニットの設置の際に、該ユニットを簡単に設置することができる設置装置として有用である。
【符号の説明】
【００６３】
11  太陽光発電パネル
14  支持部材
19  杭
70  太陽光パネルユニットの設置装置
71  シート
72  孔
75  固定部材
76  埋設部
77  非埋設部
79  ボス部
【図１】
2016127687.tif 000003
【図２】
2016127687.tif 000004
【図３】
2016127687.tif 000005
【図４】
2016127687.tif 000006
【図５】
2016127687.tif 000007